(57)【特許請求の範囲】
【請求項１】
雨水供給管を介して供給される水を滞水材を積層して形成した積層体の空所に貯留する地下貯水槽であって、
前記積層体内の下部に形成され、略水平方向に延びる直線状の通路と、
この通路に連通し、人が入れない程度の大きさで、上方に延びると共に、端部を外気に連通する第１の上方通路と、 
前記通路の下に位置すると共に、前記通路に連通して土砂等を受け止める凹状の溝部と、
この凹状の溝部に連通し、上方に延びると共に、端部を外気に連通する第２の上方通路と、
高圧水を供給するホースと、
このホースに接続され、自走方向と逆方向に前記高圧水を噴射して前記通路を自走する自走ヘッドとを備え、
前記通路と前記第１の上方通路が、それぞれ複数形成され、
前記自走ヘッドを前記第１の上方通路、前記通路に導いた後、前記高圧水の噴射により前記通路内を自走させて、前記凹状の溝部を横断させ、その後、前記ホースを前記自走ヘッドの自走方向と逆方向であって前記自走ヘッドの自走力以上の力を作用させて、前記自走ヘッドの高圧水の噴射を継続しながら、前記自走ヘッドを前記自走ヘッドの自走方向と逆方向に移動させて前記凹状の溝部を横断させ、前記自走ヘッドの高圧水の噴射により、前記積層体内の土砂を前記凹状の溝部に集めて前記積層体内の土砂を前記第２の上方通路を介して前記積層体内から除去して前記積層体内を清掃する
ことを特徴とする地下貯水槽の清掃方法。 
【請求項２】
雨水供給管を介して供給される水を滞水材を積層して形成した積層体の空所に貯留する地下貯水槽であって、
前記積層体内の下部に形成され、略水平方向に延びる直線状の通路と、
この通路に連通し、人が入れない程度の大きさで、上方に延びると共に、端部を外気に連通する第１の上方通路と、
前記通路の下に位置すると共に、前記通路に連通して土砂等を受け止める凹状の溝部と、
この凹状の溝部に連通し、上方に延びると共に、端部を外気に連通する第２の上方通路と、
高圧水を供給するホースと、
このホースに接続され、自走方向と逆方向に前記高圧水を噴射して前記通路を自走する自走ヘッドとを備え、
前記通路と前記第１の上方通路が、それぞれ複数形成され、
前記自走ヘッドを前記第１の上方通路、前記通路に導いた後、前記高圧水の噴射により前記通路内を自走させて、前記凹状の溝部を横断させ、前記自走ヘッドの前記高圧水の噴射により、前記積層体内の土砂を前記凹状の溝部に集めて前記第２の上方通路を介して前記積層体内の土砂を前記積層体内から除去して前記積層体内を清掃する
ことを特徴とする地下貯水槽の清掃方法。
【請求項３】
雨水供給管を介して供給される水を滞水材を積層して形成した積層体の空所に貯留する地下貯水槽であって、
前記積層体内の下部に形成され、略水平方向に延びる直線状の通路と、
この通路に連通し、人が入れない程度の大きさで、上方に延びると共に、端部を外気に連通する第１の上方通路と、
高圧水を供給するホースと、
このホースに接続され、自走方向と逆方向に前記高圧水を噴射して前記通路を自走する自走ヘッドとを備え、
前記通路と前記第１の上方通路が、それぞれ複数形成され、
前記自走ヘッドを前記第１の上方通路、前記通路に導いた後、前記高圧水の噴射により前記通路内を自走させて、その後、前記ホースを前記自走ヘッドの自走方向と逆方向であって前記自走ヘッドの自走力以上の力を作用させて、前記自走ヘッドの高圧水の噴射を継続しながら、前記自走ヘッドを前記自走ヘッドの自走方向と逆方向に移動させて、前記自走ヘッドの高圧水の噴射により、前記積層体内の土砂を前記通路の前記第１の上方通路に近い側に集めて、前記積層体内の土砂を前記第１の上方通路を介して前記積層体内から除去して前記積層体内を清掃する
ことを特徴とする地下貯水槽の清掃方法。 
【請求項４】
凹状の溝部が複数形成され、
複数形成された前記凹状の溝部に対応して第２の上方通路も複数形成されている
ことを特徴とする請求項１又は請求項２記載の地下貯水槽の清掃方法。
【請求項５】
雨水供給管を介して供給される水を滞水材を積層して形成した積層体の空所に貯留する地下貯水槽であって、
前記積層体内の下部に形成され、略水平方向に延びる直線状の通路と、
この通路に連通し、高圧水を供給するホース及び該ホースに接続された自走方向と逆方向に前記高圧水を噴射して前記通路を自走する自走ヘッドの出入りを許容できる大きさで、且つ、人が入れない程度の大きさで、上方に延びると共に、端部を外気に連通する第１の上方通路と、 
前記通路の下に位置すると共に、前記通路に連通して土砂等を受け止める凹状の溝部と、
この凹状の溝部に連通し、上方に延びると共に、端部を外気に連通する第２の上方通路とを備え、
前記通路と前記第１の上方通路が、それぞれ複数形成されている
ことを特徴とする地下貯水槽。
【発明の詳細な説明】
【技術分野】
【０００１】
本発明は、地下貯水槽の清掃方法及び地下貯水槽に係り、特に、地下貯水槽内に溜まった土砂等を清掃する地下貯水槽の清掃方法及び地下貯水槽に関する。
【０００２】
従来、例えば、雨水を貯蔵する地下貯水槽がある（例えば、特許文献１参照）。
この地下貯水槽にあっては、貯水槽内部が汚れた場合、蓋体を開いて、作業員が内部に入って清掃できるようになっている（特許文献１の段落番号[００１１]参照）。
【特許文献１】特開平１０−５４０６２号公報
【発明の開示】
【発明が解決しようとする課題】
【０００３】
しかしながら、上記の地下貯水槽の清掃にあっては、作業員が地下貯水槽の内部に入って清掃するものであり、酸欠による危険性があり、また、地下貯水槽の内部構造によっては、作業員が地下貯水槽の内部に入ることができず、清掃作業性が良好でないという問題点があった。
【０００４】
本発明は、上記の問題点を除去するようにした地下貯水槽の清掃方法及び地下貯水槽を提供することを目的とする。
【課題を解決するための手段】
【０００５】
本発明の地下貯水槽の清掃方法は、雨水供給管を介して供給される水を滞水材を積層して形成した積層体の空所に貯留する地下貯水槽であって、前記積層体内の下部に形成され、略水平方向に延びる直線状の通路と、この通路に連通し、人が入れない程度の大きさで、上方に延びると共に、端部を外気に連通する第１の上方通路と、前記通路の下に位置すると共に、前記通路に連通して土砂等を受け止める凹状の溝部と、この凹状の溝部に連通し、上方に延びると共に、端部を外気に連通する第２の上方通路と、高圧水を供給するホースと、このホースに接続され、自走方向と逆方向に前記高圧水を噴射して前記通路を自走する自走ヘッドとを備え、前記通路と前記第１の上方通路が、それぞれ複数形成され、前記自走ヘッドを前記第１の上方通路、前記通路に導いた後、前記高圧水の噴射により前記通路内を自走させて、前記凹状の溝部を横断させ、その後、前記ホースを前記自走ヘッドの自走方向と逆方向であって前記自走ヘッドの自走力以上の力を作用させて、前記自走ヘッドの高圧水の噴射を継続しながら、前記自走ヘッドを前記自走ヘッドの自走方向と逆方向に移動させて前記凹状の溝部を横断させ、前記自走ヘッドの高圧水の噴射により、前記積層体内の土砂を前記凹状の溝部に集めて前記積層体内の土砂を前記第２の上方通路を介して前記積層体内から除去して前記積層体内を清掃するものである。
【０００６】
また、請求項２記載の地下貯水槽の清掃方法は、雨水供給管を介して供給される水を滞水材を積層して形成した積層体の空所に貯留する地下貯水槽であって、前記積層体内の下部に形成され、略水平方向に延びる直線状の通路と、この通路に連通し、人が入れない程度の大きさで、上方に延びると共に、端部を外気に連通する第１の上方通路と、前記通路の下に位置すると共に、前記通路に連通して土砂等を受け止める凹状の溝部と、この凹状の溝部に連通し、上方に延びると共に、端部を外気に連通する第２の上方通路と、高圧水を供給するホースと、このホースに接続され、自走方向と逆方向に前記高圧水を噴射して前記通路を自走する自走ヘッドとを備え、前記通路と前記第１の上方通路が、それぞれ複数形成され、前記自走ヘッドを前記第１の上方通路、前記通路に導いた後、前記高圧水の噴射により前記通路内を自走させて、前記凹状の溝部を横断させ、前記自走ヘッドの前記高圧水の噴射により、前記積層体内の土砂を前記凹状の溝部に集めて前記第２の上方通路を介して前記積層体内の土砂を前記積層体内から除去して前記積層体内を清掃するものである。
【０００７】
また、請求項３記載の地下貯水槽の清掃方法は、雨水供給管を介して供給される水を滞水材を積層して形成した積層体の空所に貯留する地下貯水槽であって、前記積層体内の下部に形成され、略水平方向に延びる直線状の通路と、この通路に連通し、人が入れない程度の大きさで、上方に延びると共に、端部を外気に連通する第１の上方通路と、高圧水を供給するホースと、このホースに接続され、自走方向と逆方向に前記高圧水を噴射して前記通路を自走する自走ヘッドとを備え、 前記通路と前記第１の上方通路が、それぞれ複数形成され、前記自走ヘッドを前記第１の上方通路、前記通路に導いた後、前記高圧水の噴射により前記通路内を自走させて、その後、前記ホースを前記自走ヘッドの自走方向と逆方向であって前記自走ヘッドの自走力以上の力を作用させて、前記自走ヘッドの高圧水の噴射を継続しながら、前記自走ヘッドを前記自走ヘッドの自走方向と逆方向に移動させて、前記自走ヘッドの高圧水の噴射により、前記積層体内の土砂を前記通路の前記第１の上方通路に近い側に集めて、前記積層体内の土砂を前記第１の上方通路を介して前記積層体内から除去して前記積層体内を清掃するものである。
【０００９】
また、請求項４記載の地下貯水槽の清掃方法は、請求項１又は２記載の地下貯水槽の清掃方法において、凹状の溝部が複数形成され、複数形成された前記凹状の溝部に対応して第２の上方通路も複数形成されているものである。
【００１０】
また、請求項５記載の地下貯水槽は、雨水供給管を介して供給される水を滞水材を積層して形成した積層体の空所に貯留する地下貯水槽であって、前記積層体内の下部に形成され、略水平方向に延びる直線状の通路と、この通路に連通し、高圧水を供給するホース及び該ホースに接続された自走方向と逆方向に前記高圧水を噴射して前記通路を自走する自走ヘッドの出入りを許容できる大きさで、且つ、人が入れない程度の大きさで、上方に延びると共に、端部を外気に連通する第１の上方通路と、前記通路の下に位置すると共に、前記通路に連通して土砂等を受け止める凹状の溝部と、この凹状の溝部に連通し、上方に延びると共に、端部を外気に連通する第２の上方通路とを備え、前記通路と前記第１の上方通路が、それぞれ複数形成されているものである。
【発明の効果】
【００１１】
請求項１記載の地下貯水槽の清掃方法によれば、作業員が地下貯水槽の内部に入ることなく、また、構造的に作業員が内部に入ることができない地下貯水槽にあっても、地下貯水槽に、「積層体の下部に形成され、略水平方向に延びる直線状の通路」と、「この通路に連通し、人が入れない程度の大きさで、上方に延びると共に、端部を外気に連通する第１の上方通路」と、「前記通路の下に位置すると共に、前記通路に連通して土砂等を受け止める凹状の溝部」と、「凹状の溝部に連通し、上方に延びると共に、端部を外気に連通する第２の上方通路」と、をそれぞれ形成し、「高圧水を噴射して前記通路を自走する自走ヘッド」を準備すれば、前記自走ヘッドを前記第１の上方通路、前記通路に導いた後、前記高圧水の噴射により前記通路内を自走させて、前記凹状の溝部を横断させ、その後、前記ホースを前記自走ヘッドの自走方向と逆方向であって前記自走ヘッドの自走力以上の力を作用させて、前記自走ヘッドの高圧水の噴射を継続しながら、前記自走ヘッドを前記自走ヘッドの自走方向と逆方向に移動させて前記凹状の溝部を横断させ、前記自走ヘッドの高圧水の噴射により、前記積層体内の土砂を前記凹状の溝部に集めて前記積層体内の土砂を前記第２の上方通路を介して前記積層体内から除去することができる。
【００１２】
また、請求項２記載の地下貯水槽の清掃方法によれば、作業員が地下貯水槽の内部に入ることなく、また、構造的に作業員が内部に入ることができない地下貯水槽にあっても  、地下貯水槽に、「積層体の下部に形成され、略水平方向に延びる直線状の通路」と、「この通路に連通し、上方に延びると共に、端部を外気に連通する第１の上方通路」と、「前記通路の下に位置すると共に、前記通路に連通して土砂等を受け止める凹状の溝部」と、「凹状の溝部に連通し、上方に延びると共に、端部を外気に連通する第２の上方通路」と、をそれぞれ形成し、「高圧水を噴射して前記通路を自走する自走ヘッド」を準備すれば、前記自走ヘッドを前記第１の上方通路、前記通路に導いた後、前記高圧水の噴射により前記通路内を自走させて、前記凹状の溝部を横断させ、前記自走ヘッドの前記高圧水の噴射により、前記積層体内の土砂を前記凹状の溝部に集めて前記第２の上方通路を介して前記積層体内の土砂を前記積層体内から除去して前記積層体内を清掃することができる。
【００１３】
また、請求項３記載の地下貯水槽の清掃方法によれば、作業員が地下貯水槽の内部に入ることなく、また、構造的に作業員が内部に入ることができない地下貯水槽にあっても、地下貯水槽に、「積層体の下部に形成され、略水平方向に延びる直線状の通路」と、「この通路に連通し、上方に延びると共に、端部を外気に連通する第１の上方通路」と、をそれぞれ形成し、「高圧水を噴射して前記通路を自走する自走ヘッド」を準備すれば、前記自走ヘッドを前記第１の上方通路、前記通路に導いた後、前記高圧水の噴射により前記通路内を自走させて、その後、前記ホースを前記自走ヘッドの自走方向と逆方向であって前記自走ヘッドの自走力以上の力を作用させて、前記自走ヘッドの高圧水の噴射を継続しながら、前記自走ヘッドを前記自走ヘッドの自走方向と逆方向に移動させて、前記自走ヘッドの高圧水の噴射により、前記積層体内の土砂を前記通路の前記第１の上方通路に近い側に集めて、前記積層体内の土砂を前記第１の上方通路を介して前記積層体内から除去して前記積層体内を清掃することができる。
【００１４】
また、請求項５記載の地下貯水槽によれば、雨水供給管を介して供給される水を滞水材を積層して形成した積層体の空所に貯留する地下貯水槽であって、前記積層体内の下部に形成され、略水平方向に延びる直線状の通路と、この通路に連通し、高圧水を供給するホースの出入りを許容できる大きさで、且つ、人が入れない程度の大きさで、上方に延びると共に、端部を外気に連通する第１の上方通路と、前記通路の下に位置すると共に、前記通路に連通して土砂等を受け止める凹状の溝部と、この凹状の溝部に連通し、上方に延びると共に、端部を外気に連通する第２の上方通路とを備えているものであるから、前記自走ヘッドを前記第１の上方通路、前記通路に導いた後、前記高圧水の噴射により前記通路内を自走させて、前記凹状の溝部を横断させ、その後、前記ホースを前記自走ヘッドの自走方向と逆方向であって前記自走ヘッドの自走力以上の力を作用させて、前記自走ヘッドの高圧水の噴射を継続しながら、前記自走ヘッドを前記自走ヘッドの自走方向と逆方向に移動させて前記凹状の溝部を横断させ、前記自走ヘッドの高圧水の噴射により、前記積層体内の土砂を前記凹状の溝部に集めて前記積層体内の土砂を前記第２の上方通路を介して前記積層体内から除去することができる。
【発明を実施するための最良の形態】
【００１５】
本発明の地下貯水槽の清掃方法及び地下貯水槽の一実施例を図面を参照して説明する。
図１乃至図１０において、１は地下に埋設されて雨水を貯留する地下貯水槽で、地下貯水槽１内の水は、滞水材２（滞水材２は、例えば、特許第３７３９２９６号の図３記載の滞水材３０であるが、本願発明にあっては、これに限らず、特許第７９３４３４号公報に記載の中空状柱部でも良く、また、特許第３９３０５７７号公報に記載の容器状部材でも良く、また、特許第３４１００９０号公報に記載の箱状の第1貯留浸透ユニットでも良く、要は、大きな空隙率を有し貯水効率の高い構造物であれば良い。）を積層して形成した積層体の空所Ｓに貯留されるようになっている。滞水材２を、本実施例では、例えば、一層毎に９０°方向を変えて鉛直方向に積層していくものである。
なお、地下貯水槽１は、例えば、地下を掘り下げて形成された凹所に形成されるものである。また、滞水材２を積層して形成した積層体の周囲は、防水シート３で覆われ、地下貯水槽１内へは、図３に示す雨水供給管Ｐを介して水が供給されるようになっている。また、地下貯水槽１には、地下貯水槽１内の水を地下貯水槽１の外へと導く排出管（図示せず）も設けられている。
なお、地下貯水槽１内の水を地下に浸透させる場合にあっては、防水シート３の代わりに透水シートでも良い。
【００１６】
また、積層体の下部には、略水平方向に延びる直線状の通路２１が複数形成されている。この通路２１に第１の上方通路４が連通し、この第１の上方通路４は、高圧水を供給する説明を後述するホース７及び該ホース７に接続された自走方向と逆方向に前記高圧水を噴射して通路２１を自走する説明を後述する自走ヘッド２０の出入りを許容できる大きさで、且つ、人が入れない程度の大きさで、複数（本実施例では、８個）形成されている。
４１は、第１の上方通路４の開放した端部の開口部を開閉する蓋である。また、図４に示す５は凹状の溝部で、凹状の溝部５は、通路４１の下に位置すると共に、通路４１に連通して土砂等を受け止めるもので、複数形成されている。
また、６は第２の上方通路で、第２の上方通路６は、凹状の溝部５に連通し、上方に延びると共に、端部を外気に連通するようになっていて、複数（本実施例では、６個）形成されている。６１は、第２の上方通路６の開放した端部の開口部を開閉する蓋である。  
【００１７】
また、図４に示す７は、高圧水を供給するホースで、ホース７は、車１０に搭載されているドラム８に巻き取られて収納されている。９は高圧ポンプで、１１は水を収納する水タンクである。また、図４及び図８に示す２０は自走ヘッドで、自走ヘッド２０は、ホース７に接続され、自走方向と逆方向に高圧水を噴射して水平通路２１を自走するもので、例えば、実公平１−３７７３４号公報記載の洗浄用自走ヘッドであり、更に、具体的には、例えば、株式会社スギノマシン製Ｖスピンノズルである。２０ａは、高圧水の噴射口である。
【００１８】
従って、上述した地下貯水槽１に雨水供給管Ｐを介して水が貯水され、雨水供給管Ｐに流入する前の段階において、フィルター（図示せず）を介して土砂等の侵入を阻止しているが、長期の使用にあっては、地下貯水槽１の下部に土砂等が蓄積されていく。
かかる場合においては、自走ヘッド２０を第１の上方通路４、通路２１に導いた後、図９に示すように、高圧水の噴射により自走ヘッド２０を通路２１内を自走させて、凹状の溝部５を横断させ、その後、ホース７を自走ヘッド２０の自走方向と逆方向（図１０に示す矢印方向）であって自走ヘッド２０の自走力以上の力を作用させて、自走ヘッド２０の高圧水の噴射を継続しながら、自走ヘッド２０を自走ヘッド２０の自走方向と逆方向（図１０に示す矢印方向）に移動させて凹状の溝部５を横断させ、自走ヘッド２０の高圧水の噴射により、積層体内の土砂を凹状の溝部５に集めて前記積層体内の土砂を第２の上方通路６を介して前記積層体内から除去して前記積層体内を清掃することができる。
第２の上方通路６を介して前記積層体内から除去する方法としては、例えば、第２の上方通路６内にバキュームホース３０を挿入して凹状の溝部５内の土砂等を吸い上げることができる。また、第２の上方通路６は、人が出入りできない大きさでも良いが、図示しないが、人が出入りできる大きさに設けても良い。
なお、雨水供給管Ｐは、第１の上方通路４と連通してなくても良いが、望ましくは、雨水供給管Ｐと第１の上方通路４とは連通しているのが望ましい。また、第１の上方通路４、第２の上方通路６を介して、図示しない監視カメラを入れて地下貯水槽１内の土砂の蓄積量を確認することもできる。
【００１９】
また、自走ヘッド２０を自走ヘッド２０の自走方向と逆方向（図１０に示す矢印方向）に移動させる際、自走ヘッド２０の高圧水の噴射により、積層体内の土砂を凹状の溝部５に集めるようにしたが、場合により、自走ヘッド２０を自走ヘッド２０の自走方向と逆方向（図１０に示す矢印方向）に移動させる際、自走ヘッド２０の高圧水の噴射を停止しても良い。かかる場合、自走ヘッド２０を第１の上方通路４、通路２１に導いた後、前記高圧水の噴射により通路２１内を自走させて、凹状の溝部５を横断させ、自走ヘッド２０の前記高圧水の噴射により、前記積層体内の土砂を凹状の溝部５に集めることができる（図１１参照）。凹状の溝部５内に土砂を集めた後は、上述の実施例と同様、第２の上方通路６内にバキュームホース３０を挿入して凹状の溝部５内の土砂等を吸い上げて前記積層体内の土砂を前記積層体内から除去して前記積層体内を清掃することができる。
【００２０】
また、上述した実施例においては、第２の上方通路６を設けるようにしたが、場合により省略することもできる。即ち、「積層体の下部に形成され、略水平方向に延びる直線状の通路２１」と、「この通路２１に連通し、人が入れない程度の大きさで、上方に延びると共に、端部を外気に連通する第１の上方通路４」と、をそれぞれ形成し、「高圧水を噴射して通路２１を自走する自走ヘッド２０」を準備すれば、自走ヘッド２０を第１の上方通路４、通路２１に導いた後、前記高圧水の噴射により通路２１内を自走させて、その後、ホース７を自走ヘッド２０の自走方向と逆方向であって自走ヘッド２０の自走力以上の力を作用させて、自走ヘッド２０の高圧水の噴射を継続しながら、自走ヘッド２０を自走ヘッド２０の自走方向と逆方向に移動させて、自走ヘッド２０の高圧水の噴射により、前記積層体内の土砂を通路２１の第１の上方通路４に近い側に集めることができる（図１２参照）。第１の上方通路４に近い側に土砂を集めた後は、上述の実施例と同様、第１の上方通路４に図７記載のバキュームホース３０を挿入して第１の上方通路４に近い側の土砂等を吸い上げて前記積層体内の土砂を前記積層体内から除去して前記積層体内を清掃することができるようにしても良い。
【図面の簡単な説明】
【００２１】
【図１】図１は、本発明の一実施例の地下貯水槽の清掃方法を概略的に示す概略的断面図である。
【図２】図２は、図１の一部の概略的一部平面図である。
【図３】図３は、図１の一部を拡大して示す概略的一部拡大断面図である。
【図４】図４は、図１の一部を拡大して示す概略的一部拡大断面図である。
【図５】図５は、図４の５−５線の概略的断面図である。
【図６】図６は、図４の６−６線の概略的断面図である。
【図７】図７は、図４の７−７線の概略的断面図である。
【図８】図８は、図１の先端に接続された自走ヘッドの概略的側面図である。
【図９】図９は、自走ヘッドが通路を自走する状態を示す概略的断面図である。
【図１０】図１０は、図９の自走ヘッドを自走方向と逆方向に移動させている状態を示す概略的断面図である。
【図１１】図１１は、図１０と異なる他の実施例の地下貯水槽の清掃方法を示す概略的断面図である。
【図１２】図１２は、図１１と異なる他の実施例の地下貯水槽の清掃方法を示す概略的断面図である。
【符号の説明】
【００２２】
４        第１の上方通路
５        凹状の溝部
６        第２の上方通路
７        Ｌ型支持部材
２０      自走ヘッド
２１      通路
【図１】
0005048446.tif 000002
【図２】
0005048446.tif 000003
【図３】
0005048446.tif 000004
【図４】
0005048446.tif 000005
【図５】
0005048446.tif 000006
【図６】
0005048446.tif 000007
【図７】
0005048446.tif 000008
【図８】
0005048446.tif 000009
【図９】
0005048446.tif 000010
【図１０】
0005048446.tif 000011
【図１１】
0005048446.tif 000012
【図１２】
0005048446.tif 000013